(57)【要約】【課題】加速度が生じたタイミングで検出された眼電位を適切に解析すること。【解決手段】眼電位情報処理装置は、ユーザに装着された眼電位検出部で検出されたユーザの眼電位を取得する眼電位取得部と、眼電位取得部が取得した眼電位を、ユーザの加速度又は角速度に基づいて補正する眼電位補正部と、眼電位補正部により補正された眼電位を解析する解析部とを備える。プログラムは、コンピュータを、ユーザに装着された眼電位検出部で検出されたユーザの眼電位を取得する眼電位取得部、眼電位取得部が取得した眼電位を、ユーザの加速度又は角速度に基づいて補正する眼電位補正部、眼電位補正部により補正された眼電位を解析する解析部として機能させる。【選択図】図３
2015202199.tif 000002
【特許請求の範囲】
【請求項１】
ユーザに装着された眼電位検出部で検出されたユーザの眼電位を取得する眼電位取得部と、
前記眼電位取得部が取得した前記眼電位を、前記ユーザの加速度又は角速度に基づいて補正する眼電位補正部と、
前記眼電位補正部により補正された前記眼電位を解析する解析部と
を備える眼電位情報処理装置。
【請求項２】
前記眼電位取得部は、ユーザが装着している装着具に設けられた前記眼電位検出部で検出された前記ユーザの眼電位を取得する
請求項１に記載の眼電位情報処理装置。
【請求項３】
前記眼電位取得部は、ユーザが装着しているアイウエアに設けられた前記眼電位検出部で検出された前記ユーザの眼電位を取得する
請求項１または２に記載の眼電位情報処理装置。
【請求項４】
前記眼電位補正部は、前記ユーザの前記加速度又は前記角速度の大きさが大きいほど、前記眼電位を大きく補正する
請求項１から３のいずれか一項に記載の眼電位情報処理装置。
【請求項５】
加速度又は角速度の複数の方向に対応づけて、眼電位を補正する補正値を示す情報を格納する格納部
をさらに備え、
前記眼電位補正部は、前記ユーザの前記加速度又は前記角速度の方向に対応づけて前記格納部が格納している前記補正値を用いて、前記眼電位を補正する
請求項１から４のいずれか一項に記載の眼電位情報処理装置。
【請求項６】
前記眼電位補正部は、前記ユーザの前記加速度又は前記角速度と、前記眼電位検出部で検出された前記眼電位との履歴に基づいて統計的に決定された補正値を用いて、前記眼電位を補正する
請求項１から５のいずれか一項に記載の眼電位情報処理装置。
【請求項７】
前記解析部は、前記眼電位補正部により補正された前記眼電位を用いて、前記眼電位補正部により補正された前記眼電位が検出されたタイミングにおける前記ユーザの状態を特定する
請求項１から６のいずれか一項に記載の眼電位情報処理装置。
【請求項８】
請求項１から７のいずれか一項に記載の眼電位情報処理装置と、
前記ユーザに装着される装着具と
を備え、
前記装着具は、
前記眼電位検出部と、
前記眼電位検出部で検出された前記眼電位を示す情報を、前記眼電位情報処理装置へ送信する送信部と
を有する眼電位情報処理システム。
【請求項９】
装着具であって、
前記装着具を装着している装着者の眼電位を検出する眼電位検出部と、
前記眼電位検出部で検出された前記眼電位を、前記装着者の加速度又は角速度に基づいて補正する眼電位補正部と、
前記眼電位補正部により補正された前記眼電位を解析する解析部と
を備える装着具。
【請求項１０】
コンピュータを、
ユーザに装着された眼電位検出部で検出されたユーザの眼電位を取得する眼電位取得部、
前記眼電位取得部が取得した前記眼電位を、前記ユーザの加速度又は角速度に基づいて補正する眼電位補正部、
前記眼電位補正部により補正された前記眼電位を解析する解析部
として機能させるためのプログラム。
【発明の詳細な説明】
【技術分野】
【０００１】
本発明は、眼電位情報処理装置、眼電位情報処理システム、アイウエア及びプログラムに関する。
【背景技術】
【０００２】
眼球電位に基づいて睡眠状態を検出する睡眠状態検出装置が知られている（例えば、特許文献１参照）。また、眼球運動に基づいて被験者の居眠り状態を判定する居眠り判定装置が知られている（特許文献２参照）。また、脳波の計測に用いる電極の接触インピーダンスを計測するインピーダンス計測部を備える脳波計測システムが知られている（特許文献３参照）。
特許文献１  特開２００４−１８７９６１号公報
特許文献２  特開２０１１−０１５９１３号公報
特許文献３  特開２０１２−０９５９０５号公報
【発明の概要】
【発明が解決しようとする課題】
【０００３】
アイウエア又はユーザの加速度によって、ユーザの眼電位の検出値が影響を受ける場合がある。そのため、例えば大きな加速度が生じたタイミングで検出された眼電位を適切に解析できない場合がある。
【課題を解決するための手段】
【０００４】
第１の態様においては、眼電位情報処理装置は、ユーザに装着された眼電位検出部で検出されたユーザの眼電位を取得する眼電位取得部と、眼電位取得部が取得した眼電位を、ユーザの加速度又は角速度に基づいて補正する眼電位補正部と、眼電位補正部により補正された眼電位を解析する解析部とを備える。
【０００５】
第２の態様においては、眼電位情報処理システムは、上記眼電位情報処理装置と、ユーザに装着される装着具とを備え、装着具は、眼電位検出部と、眼電位検出部で検出された眼電位を示す情報を、眼電位情報処理装置へ送信する送信部とを有する。
【０００６】
第３の態様においては、装着具は、装着具を装着している装着者の眼電位を検出する眼電位検出部と、眼電位検出部で検出された眼電位を、装着者の加速度又は角速度に基づいて補正する眼電位補正部と、眼電位補正部により補正された眼電位を解析する解析部とを備える。
【０００７】
第４の態様においては、プログラムは、コンピュータを、ユーザに装着された眼電位検出部で検出されたユーザの眼電位を取得する眼電位取得部、眼電位取得部が取得した眼電位を、ユーザの加速度又は角速度に基づいて補正する眼電位補正部、眼電位補正部により補正された眼電位を解析する解析部として機能させる。
【０００８】
なお、上記の発明の概要は、本発明の特徴の全てを列挙したものではない。また、これらの特徴群のサブコンビネーションもまた、発明となりうる。
【図面の簡単な説明】
【０００９】
【図１】一実施形態における眼電位情報処理システム１０の利用形態の一例を概略的に示す。
【図２】メガネ１００及びスマートフォン４０を模式的に示す。
【図３】スマートフォン４０の機能ブロック構成及び処理ユニット１８０の機能ブロック構成を概略的に示す。
【図４】メガネ１００が有する眼電位検出用電極とユーザ２０との位置関係を概略的に示す。
【図５】格納部３６０が格納している補正値の一例をテーブル形式で示す。
【図６】眼電位及び加速度の時間発展の一例を概略的に示す。
【図７】スマートフォン４０において実行される処理を表すフローチャートを示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、一実施形態における眼電位情報処理システム１０の利用形態の一例を概略的に示す。眼電位情報処理システム１０は、メガネ１００及びスマートフォン４０を備える。
【００１２】
ユーザ２０は、メガネ１００及びスマートフォン４０のそれぞれの使用者である。ユーザ２０は、メガネ１００を装着する装着者である。スマートフォン４０は、眼電位情報処理装置の一例である。
【００１３】
メガネ１００は、ユーザ２０の顔部に装着される。メガネ１００は、スマートフォン４０と通信する機能を有する。メガネ１００は、ユーザ２０に接触する電極を介してユーザ２０の眼電位を検出して、検出した眼電位の情報をスマートフォン４０に送信する。また、メガネ１００は、メガネ１００の加速度を検出して、検出した加速度の情報をスマートフォン４０に送信する。また、メガネ１００は、メガネ１００の角速度を検出して、検出した角速度の情報をスマートフォン４０に送信する。
【００１４】
スマートフォン４０は、メガネ１００から受信した眼電位を解析する。スマートフォン４０は、メガネ１００から受信した眼電位を、メガネ１００から受信した加速度及び角速度の少なくとも一方とともに解析する。スマートフォン４０は、眼電位、加速度、角速度等の解析結果に基づいて、ユーザ２０に情報を提供する。
【００１５】
例えば、スマートフォン４０は、眼電位、加速度及び角速度等を解析して、ユーザ２０の状態を特定する。具体的には、スマートフォン４０は、ユーザ２０の視線方向及び瞬目状態等を特定する。例えば、スマートフォン４０は、視線方向及び瞬目状態等に基づき、ユーザ２０の状態を判断する。具体的には、スマートフォン４０は、視線方向及び瞬目状態等に基づき、ユーザ２０に疲れが生じているか否かを判断する。スマートフォン４０は、ユーザ２０に疲れが生じていると判断した場合に、ユーザ２０に警告を発する。例えば、スマートフォン４０は、ユーザ２０に疲れが生じていると判断した場合に、警告音を発生する。
【００１６】
スマートフォン４０は、眼電位の変化量に基づいて、ユーザ２０の視線方向、瞬眼状態等を特定する。ここで、スマートフォン４０は、メガネ１００で検出された加速度又は角速度が大きいほど、眼電位を大きく補正する。そして、スマートフォン４０は、補正した眼電位を用いて、視線方向、瞬目状態等を特定する。
【００１７】
例えばユーザ２０がランニング等の運動をしている場合に、眼電位検出用の電極とユーザ２０との接触状態が悪化する場合がある。例えば、上下方向の加速度が大きい場合、眼電位検出用の電極とユーザ２０との接触状態が悪化する場合がある。眼電位情報処理システム１０によれば、加速度又は角度度に基づいて、例えば接触状態の影響を考慮した眼電位を補正する補正値を用いて眼電位を補正する。そして、補正した眼電位を用いて、ユーザ２０の状態を特定する。そのため、ユーザ２０の状態をより正確に特定できる場合がある。
【００１８】
なお、本実施形態の説明において、図１等に示される直交座標系の座標軸を用いて、各種の方向を特定する場合がある。ｚ軸プラス方向を、ユーザ２０が正面に沿う方向に定める。ｚ軸プラス方向は、ユーザ２０の顔に装着されているメガネ１００の、ユーザ２０の顔からメガネ１００のフロント部へ向かう方向の加速度である。また、ｙ軸マイナス方向を、鉛直方向に定める。ｘ軸、ｙ軸、ｚ軸は、右手系の直交座標系である。説明の都合上、ｚ軸プラス方向を正面方向等と呼ぶ場合がある。また、ｙ軸プラス方向を上方等と呼ぶ場合がある。また、ｙ軸マイナス方向を下方等と呼ぶ場合がある。また、ｘ軸プラス方向を左方等と呼ぶ場合がある。また、ｘ軸マイナス方向を右方等と呼ぶ場合がある。
【００１９】
図２は、メガネ１００及びスマートフォン４０を模式的に示す。メガネ１００は、レンズ１１０及びフレーム１２０を備える。メガネ１００及びフレーム１２０は、アイウエアの一例である。
【００２０】
フレーム１２０は、一対のレンズ１１０を支持する。フレーム１２０は、リム１２２、ブリッジ１２４、ヨロイ１２６、テンプル１３０、モダン１３２、右ノーズパッド１４１、左ノーズパッド１４２、第１電極１５１、第２電極１５２、第３電極１５３、接地電極１５４、処理ユニット１８０及び電源ユニット１９０を有する。レンズ１１０、リム１２２、ヨロイ１２６、テンプル１３０、及びモダン１３２は、それぞれ左右一対に設けられる。フレーム１２０のうち、リム１２２、ブリッジ１２４、右ノーズパッド１４１、左ノーズパッド１４２及びヨロイ１２６の部分を、メガネ１００のフロント部と呼ぶ。
【００２１】
リム１２２は、レンズ１１０を保持する。ヨロイ１２６は、リム１２２の外側に設けられテンプル１３０を可動に保持する。テンプル１３０は、ユーザ２０の耳の上部を押圧して、押圧した部位を挟持する。モダン１３２は、テンプル１３０の先端に設けられる。モダン１３２は、ユーザ２０の耳の上部に接触する。
【００２２】
第１電極１５１は、眼電位を検出する眼電位検出部の一例である。第１電極１５１は、右ノーズパッド１４１の表面に設けられる。第１電極１５１は、右ノーズパッド１４１が有する表面のうち、ユーザ２０がメガネ１００を装着した場合にユーザ２０の顔に対向する側の表面に設けられる。ユーザ２０がメガネ１００を装着した場合、第１電極１５１はユーザ２０の皮膚に接触する。例えば、ユーザ２０がメガネ１００を装着した場合、第１電極１５１はユーザ２０の鼻の右側に接触する。本実施形態において、第１電極１５１は、主としてユーザ２０の右眼の眼電位を検出する。
【００２３】
第２電極１５２は、眼電位を検出する眼電位検出部の一例である。第２電極１５２は、左ノーズパッド１４２の表面に設けられる。第２電極１５２は、左ノーズパッド１４２が有する表面のうち、ユーザ２０がメガネ１００を装着した場合にユーザ２０の顔に対向する側の表面に設けられる。ユーザ２０がメガネ１００を装着した場合、第２電極１５２はユーザ２０の皮膚に接触する。例えば、ユーザ２０がメガネ１００を装着した場合、第２電極１５２はユーザ２０の鼻の左側に接触する。本実施形態において、第２電極１５２は、主としてユーザ２０の左眼の眼電位を検出する。
【００２４】
第３電極１５３は、眼電位を検出する眼電位検出部の一例である。第３電極１５３は、ブリッジ１２４の表面に設けられる。第３電極１５３は、ブリッジ１２４が有する表面のうち、ユーザ２０がメガネ１００を装着した場合にユーザ２０の顔に対向する表面に設けられる。ユーザ２０がメガネ１００を装着した場合、第３電極１５３はユーザ２０の皮膚に接触する。例えば、ユーザ２０がメガネ１００を装着した場合、第３電極１５３はユーザ２０の眉間の上部に接触する。本実施形態において、第３電極１５３で検出される眼電位は、ユーザ２０の右眼の眼電位及び左眼の眼電位を測定するための測定用の基準に用いられる。
【００２５】
接地電極１５４は、モダン１３２の表面に設けられる。接地電極１５４は、例えば右側のモダン１３２の表面に設けられる。接地電極１５４は、モダン１３２が有する表面のうち、ユーザ２０がメガネ１００を装着した場合にユーザ２０の顔に対向する表面に設けられる。ユーザ２０がメガネ１００を装着した場合、接地電極１５４はユーザ２０の皮膚に接触する。例えば、ユーザ２０がメガネ１００を装着した場合、接地電極１５４はユーザ２０の右耳の上部に接触する。本実施形態において、接地電極１５４の電位は、メガネ１００が有する電気回路の接地電位を提供する。
【００２６】
処理ユニット１８０は、左側のテンプル１３０の内部に設けられる。処理ユニット１８０には、第１電極１５１、第２電極１５２及び第３電極１５３で検出されたユーザ２０の眼電位が入力される。処理ユニット１８０は、入力された眼電位を処理して、処理された電位をスマートフォン４０に送信する。
【００２７】
電源ユニット１９０は、左側のテンプル１３０の内部に設けられる。電源ユニット１９０は、二次電池等の電池を含む。電源ユニット１９０は、電源ユニット１９０が含む電池に蓄積された電気エネルギーを、処理ユニット１８０に供給する。具体的には、電源ユニット１９０は、電池に蓄積された電気エネルギーから、接地電極１５４の電位を基準とした直流電力を生成する。電源ユニット１９０は、電池に蓄積された電気エネルギーから生成した直流電力を、処理ユニット１８０に供給する。
【００２８】
なお、電源ユニット１９０は、接地電極１５４が設けられた側のテンプル１３０の内部に設けられている。接地電極１５４の電位は、電源ユニット１９０から処理ユニット１８０に供給される直流電力の負側の電位を提供する。また、右側のモダン１３２には、電源ユニット１９０を充電するために充電口が形成されている。電源ユニット１９０が含む電池は、右側のモダン１３２に設けられた充電口を介して充電される。
【００２９】
図３は、スマートフォン４０の機能ブロック構成及び処理ユニット１８０の機能ブロック構成を概略的に示す。処理ユニット１８０は、処理部２００、加速度検出部２７０、送受信部２８０及び基板部２９０を含む。スマートフォン４０は、処理部３００、格納部３６０、ＵＩ部３７０、送受信部３８０及び電源部３９０を含む。
【００３０】
処理ユニット１８０において、処理部２００、加速度検出部２７０及び送受信部２８０は、基板部２９０に実装される。処理部２００は、ＭＰＵ等のプロセッサで実現される。スマートフォン４０の各部は、主として処理部３００によって制御される。送受信部２８０は、スマートフォン４０と無線通信する機能を担う。送受信部２８０は、通信用プロセッサで実現される。例えば、送受信部２８０は、Ｂｌｕｅｔｏｏｔｈ（登録商標）等の近距離無線通信機能を有する通信用プロセッサで実現される。
【００３１】
メガネ１００のフレーム１２０の内部には、電線部１６０が設けられる。電線部１６０は、第１電極１５１、第２電極１５２、第３電極１５３、接地電極１５４及び電源ユニット１９０と、処理ユニット１８０とを電気的に接続する。電線部１６０は、第１電極１５１と処理ユニット１８０とを電気的に接続して、第１電極１５１で検出された眼電位を処理ユニット１８０に出力する電線と、第２電極１５２と処理ユニット１８０とを電気的に接続して、第２電極１５２で検出された眼電位を処理ユニット１８０に出力する電線と、第３電極１５３と処理ユニット１８０とを電気的に接続して、第３電極１５３で検出された眼電位を処理ユニット１８０に出力する電線と、電源ユニット１９０から処理ユニット１８０に電力を供給する電線とを有する。
【００３２】
メガネ１００において、処理部２００は、第１電極１５１で検出された眼電位である第１眼電位を取得して、取得した第１眼電位を処理する。また、処理部２００は、第２電極１５２で検出された眼電位である第２眼電位を取得して、取得した第２眼電位を処理する。また、処理部２００は、第３電極１５３で検出された眼電位である第３眼電位を取得して、取得した第３眼電位を処理する。
【００３３】
例えば、処理部２００は、第３眼電位を基準とした第１眼電位を処理する。本実施形態では、第３眼電位を基準とした第１眼電位を、Ｖ１と呼ぶ。処理部２００は、Ｖ１を予め定められた周期でサンプリングして、Ｖ１の時系列データを生成する。処理部２００は、生成したＶ１の時系列データを、送受信部２８０に出力する。
【００３４】
また、処理部２００は、第３眼電位を基準とした第２眼電位を処理する。本実施形態では、第３眼電位を基準とした第２眼電位を、Ｖ２と呼ぶ。処理部２００は、Ｖ２を予め定められた周期でサンプリングして、Ｖ２の時系列データを生成する。処理部２００は、生成したＶ２の時系列データを、送受信部２８０に出力する。
【００３５】
加速度検出部２７０は、メガネ１００の加速度を検出する。加速度検出部２７０は、例えば３軸加速度センサである。加速度検出部２７０は、メガネ１００の重心の加速度を検出する。メガネ１００がユーザ２０に装着されている場合、メガネ１００の重心の加速度は、ユーザ２０の頭部の加速度に対応する。処理部２００には、加速度検出部２７０で検出された加速度が入力される。
【００３６】
角速度検出部２６０は、メガネ１００の角速度を検出する。角速度検出部２６０は、例えば３軸角速度センサである。処理部２００には、角速度検出部２６０で検出された角速度が入力される。
【００３７】
処理部２００は、加速度検出部２７０で検出された加速度を取得して、取得した加速度を処理する。処理部２００は、加速度を予め定められた周期でサンプリングして、時系列の加速度のデータを生成する。処理部２００は、生成した加速度の時系列データを送受信部２８０に出力する。送受信部２８０に出力される加速度データは、３軸の各方向の加速度の時系列データを含む。
【００３８】
処理部２００は、角速度検出部２６０で検出された角速度を取得して、取得した角速度を処理する。処理部２００は、角速度を予め定められた周期でサンプリングして、時系列の角速度のデータを生成する。処理部２００は、生成した角速度の時系列データを送受信部２８０に出力する。送受信部２８０に出力される角速度データは、３軸の各方向の角速度の時系列データを含む。
【００３９】
送受信部２８０は、処理部２００から取得したＶ１の時系列データ、Ｖ２の時系列データ、加速度の時系列データ及び角速度の時系列データを、無線信号で送受信部３８０に送信する。
【００４０】
スマートフォン４０において、電源部３９０は、二次電池等の電池を含む。電源部３９０は、処理部３００、送受信部３８０及びＵＩ部３７０を含むスマートフォン４０の各部に電力を供給する。
【００４１】
ＵＩ部３７０は、ユーザ２０とのユーザインタフェース（ＵＩ）を提供する。例えば、ＵＩ部３７０は、タッチパネル、操作キー、音生成装置等を含む。
【００４２】
格納部３６０は、記憶媒体で実現される。記録媒体としては、揮発性記憶媒体、不揮発性記憶媒体等を例示できる。格納部３６０は、処理部２００の動作に必要な各種のパラメータを格納する。また、格納部３６０は、処理部２００で生成された各種の情報を格納する。
【００４３】
送受信部３８０は、メガネ１００と無線通信する機能を担う。送受信部３８０は、Ｂｌｕｅｔｏｏｔｈ（登録商標）等の近距離無線通信機能を有する通信用プロセッサで実現される。送受信部３８０と送受信部２８０とは、Ｂｌｕｅｔｏｏｔｈ（登録商標）規格に従って無線通信を行う。なお、送受信部２８０と送受信部３８０との間の通信は、Ｂｌｕｅｔｏｏｔｈ（登録商標）通信に限られない。送受信部２８０と送受信部３８０との間の通信は、例えば無線ＬＡＮ等を含む様々な方式の無線通信で実現され得る。送受信部２８０と送受信部３８０との間の通信は、ＵＳＢ等を含む様々な方式の有線通信によって実現され得る。
【００４４】
送受信部３８０は、メガネ１００から送信された眼電位を示す情報を受信する。また、送受信部３８０は、メガネ１００から送信された加速度を示す情報を受信する。また、送受信部３８０は、メガネ１００から送信された角速度を示す情報を受信する。具体的には、送受信部３８０は、送受信部２８０から受信した無線信号を受信して、受信した無線信号を復調して、Ｖ１の時系列データ、Ｖ２の時系列データ、加速度の時系列データ及び角速度の時系列データを含む受信データを生成する。送受信部３８０は、生成した受信データを、処理部３００に出力する。
【００４５】
処理部３００は、眼電位取得部３１０、加速度取得部３２０、角速度取得部３２２及び解析部３５０を有する。
【００４６】
眼電位取得部３１０は、ユーザ２０に装着された眼電位検出部で検出されたユーザ２０の眼電位を取得する。具体的には、眼電位取得部３１０は、ユーザ２０が装着しているメガネ１００に設けられた第１電極１５１、第２電極１５２及び第３電極１５３で検出されたユーザ２０の眼電位を取得する。より具体的には、眼電位取得部３１０は、送受信部３８０から出力された受信データからＶ１の時系列データ及びＶ２の時系列データを抽出することにより、メガネ１００で検出された眼電位を取得する。
【００４７】
加速度取得部３２０は、メガネ１００で検出された、メガネ１００の加速度を取得する。具体的には、加速度取得部３２０は、送受信部３８０で受信した情報に基づいて、メガネ１００で検出された加速度を取得する。より具体的には、加速度取得部３２０は、送受信部３８０から出力された受信データから加速度データを抽出することにより、メガネ１００で検出された加速度を取得する。
【００４８】
角速度取得部３２２は、メガネ１００で検出された、メガネ１００の角速度を取得する。具体的には、角速度取得部３２２は、送受信部３８０で受信した情報に基づいて、メガネ１００で検出された角速度を取得する。より具体的には、角速度取得部３２２は、送受信部３８０から出力された受信データから角速度データを抽出することにより、メガネ１００で検出された角速度を取得する。
【００４９】
眼電位補正部３３０は、眼電位取得部３１０が取得した眼電位を、ユーザ２０の加速度又は角速度に基づいて補正する。例えば、眼電位補正部３３０は、ユーザ２０の加速度又は角速度の大きさが大きいほど、眼電位を大きく補正する。これにより、加速度が眼電位の検出信号に与える影響を適切に補正できる。なお、眼電位補正部３３０は、ユーザ２０の加速度又は角速度と、第１電極１５１、第２電極１５２及び第３電極１５３で検出された眼電位との履歴に基づいて統計的に決定された補正値を用いて、眼電位を補正してよい。
【００５０】
なお、格納部３６０は、加速度又は角速度の複数の方向に対応づけて、眼電位を補正する補正値を示す情報を格納する。眼電位補正部３３０は、ユーザ２０の加速度又は角速度の方向に対応づけて格納部３６０が格納している補正値を用いて、眼電位を補正する。これにより、加速度が眼電位の検出信号に与える影響を抑制できる。
【００５１】
解析部３５０は、眼電位補正部３３０により補正された眼電位を解析する。具体的には、解析部３５０は、眼電位補正部３３０により補正された眼電位を用いて、眼電位補正部３３０により補正された眼電位が検出されたタイミングにおけるユーザ２０の状態を特定する。ユーザ２０の状態としては、ユーザ２０の視線方向、瞬目状態等を例示できる。
【００５２】
なお、解析部３５０は、特定したユーザ２０の視線方向を解析して、ユーザ２０の他の状態を特定してよい。また、解析部３５０は、視線方向及びユーザ２０の瞬目状態を解析して、ユーザ２０の他の状態を特定してよい。例えば、解析部３５０は、ユーザ２０の他の状態として、ユーザ２０に疲れが生じているか否かを判断してよい。ＵＩ部３７０は、解析部３５０により、ユーザ２０に疲れが生じていると判断した場合、ユーザ２０に警告を発してよい。
【００５３】
スマートフォン４０によれば、メガネ１００に生じた加速度に応じて、眼電位を補正することができる。そのため、例えばユーザ２０が運動等をすることによりユーザ２０と第１電極１５１等の電極との間の接触状態が悪化した場合でも、ユーザ２０の状態を適切に特定できる場合がある。
【００５４】
図４は、メガネ１００が有する眼電位検出用電極とユーザ２０との位置関係を概略的に示す。図４には、ユーザ２０がメガネ１００を装着している場合において、眼電位検出用電極がユーザ２０に接触する位置である接触位置が示されている。
【００５５】
第１接触位置４５１は、第１電極１５１がユーザ２０に接触する位置を表す。第２接触位置４５２は、第２電極１５２がユーザ２０に接触する位置を表す。第３接触位置４５３は、第３電極１５３がユーザ２０に接触する位置を表す。
【００５６】
第１接触位置４５１及び第２接触位置４５２は、右眼の眼球４０１の角膜４１１の中心及び左眼の眼球４０２の角膜４１２の中心より、下側に位置する。
【００５７】
第１接触位置４５１及び第２接触位置４５２は、第１接触位置４５１と眼球４０１との間の距離と、第２接触位置４５２と眼球４０２との間の距離とが略等しい位置にあることが望ましい。また、第１接触位置４５１及び第２接触位置４５２は、互いに一定の距離以上離間していることが望ましい。
【００５８】
第３接触位置４５３は、右眼の眼球４０１の角膜４１１の中心及び左眼の眼球４０２の角膜４１２の中心より、上側に位置する。第３接触位置４５３の位置は、第３接触位置４５３と第１接触位置４５１との間の距離と、第３接触位置４５３と第２接触位置４５２との間の距離とが略等しくなる位置にあってよい。第３接触位置４５３は、第３接触位置４５３と眼球４０１との間の距離が、眼球４０１と第１接触位置４５１との間の距離より離間し、かつ、第３接触位置４５３と眼球４０２との間の距離が、眼球４０２と第２接触位置４５２との間の距離より離間する位置にあってよい。
【００５９】
眼球においては、角膜側が正に帯電しており、網膜側が負に帯電している。したがって、ユーザ２０の視線方向が上方に変化した場合、第３電極１５３を基準とした第１電極１５１の電位であるＶ１及び第３電極１５３を基準とした第２電極１５２の電位であるＶ２は、ともに低下する。ユーザ２０の視線方向が下方に変化した場合、Ｖ１及びＶ２の電位はともに上昇する。ユーザ２０の視線方向が右方に変化した場合、Ｖ１は低下し、Ｖ２は上昇する。ユーザ２０の視線方向が左方に変化した場合、Ｖ１は上昇し、Ｖ２は低下する。解析部３５０は、Ｖ１の変化及びＶ２の変化に基づいて、視線方向が変化した方向を特定する。
【００６０】
なお、処理部２００は、Ｖ１及びＶ２を検出することにより、右眼の眼電位及び左眼の眼電位を測定する。そのため、眼電位に加わるノイズの影響を軽減できる。
【００６１】
なお、ユーザ２０の頭部を固定したとすると、ユーザ２０の視線方向は、眼球４０１の向き及び眼球４０２の向きによって定まる。ユーザ２０の視線方向は、ユーザ２０の頭部の向きによっても変わるから、ユーザ２０のグローバルな視線方向は、眼球４０１の向き、眼球４０１及びユーザ２０の頭部の向きによって定まる。本実施形態の説明において、眼球４０１の向き及び眼球４０１の向きによって定まる視線方向のことを、単に視線方向という場合がある。
【００６２】
ここで、ユーザ２０の視線方向について説明する。眼球４０１がｘｚ面内で回転することで角膜４１１の位置が変化すると、角膜４１１の位置に応じてＶ１が変化する。解析部３５０は、Ｖ１の変化量に基づいて、眼球４０１の回転方向の角度の変化量である角度変化量を特定する。解析部３５０は、変化前の眼球４０１の角度と、特定した角度変化量とに基づいて、回転後の眼球４０１の角度を特定する。このように、解析部３５０は、Ｖ１の時間変化に基づいて眼球４０１の向きを特定する。
【００６３】
解析部３５０は、ｘｙ面内の角度と同様に、他の面内の回転角度を特定する。例えば、解析部３５０は、眼球４０１の角度に関する処理と同様の処理により、眼球４０２の角度を特定する。具体的には、解析部３５０は、Ｖ２の時間変化に基づいて、眼球４０２の向きを特定する。
【００６４】
解析部３５０は、眼球４０１の向き及び眼球４０２の向きに基づいて、ユーザ２０の視線方向を特定する。例えば、解析部３５０は、眼球４０１の向きのベクトルと、眼球４０２の向きのベクトルとを合成したベクトルが向く方向を、ユーザ２０の視線方向として特定してよい。
【００６５】
なお、眼球４０１の向き及び眼球４０２の向きは、ユーザ２０の視線方向を表す指標の一例である。ユーザ２０の視線方向とは、眼球４０１の向きのベクトル及び眼球４０２の向きのベクトル等から定まる１つの視線方向であってよい。すなわち、解析部３５０は、Ｖ１及びＶ２から、当該１つの視線方向を特定してよい。この場合、解析部３５０は、眼球４０１の向き及び眼球４０２の向きを特定することなく、Ｖ１の変化量及びＶ２の変化量に基づく予め定められた演算を行うことで、１つの視線方向を特定してよい。例えば、解析部３５０は、Ｖ１の変化量及びＶ２の変化量と１つの視線方向の変化量とを対応づける予め定められた演算を行うことで、１つの視線方向を特定してよい。
【００６６】
ここでは視線方向を特定する場合について説明したが、眼球４０１の向きは、角膜４１１の位置と言い換えることができる。また、眼球４０２の向きを、角膜４１２の位置と言い換えることができる。また、眼球４０１の向きの変化を、眼球４０１の眼球運動と言い換えることができる。また、眼球４０２の向きの変化を、眼球運動と言い換えることができる。すなわち、解析部３５０は、メガネ１００で検出された眼電位に基づき、ユーザ２０の眼球運動を特定してよい。
【００６７】
図５は、格納部３６０が格納している補正値の一例をテーブル形式で示す。補正テーブル６１０は、ｚ方向の加速度Ａｚ用の補正値を表す。補正テーブル６２０は、ｙ方向の加速度Ａｙの補正値を表す。補正テーブル６３０は、ｘ方向の加速度Ａｘ用の補正値を表す。格納部３６０は、補正テーブル６１０、補正テーブル６２０及び補正テーブル６３０の情報を格納する。ここで、Ａ１及びＡ２は、正の値であり、Ａ２は、Ａ１より大きい。またここでは、補正値として、眼電位に乗算する補正係数を例に挙げて説明する。
【００６８】
補正テーブル６１０に示されるように、格納部３６０は、Ａｚに対応づけて、Ｖ１に対する補正値及びＶ２に対する補正値を格納する。例えば、格納部３６０は、Ａｚが−Ａ２未満である場合のＶ１の補正値及びＶ２の補正値として、１．２を格納する。また、格納部３６０は、Ａｚが−Ａ２以上でありＡｚが−Ａ１未満である場合のＶ１の補正値及びＶ２の補正値として、１．１を格納する。また、格納部３６０は、Ａｚが−Ａ１以上である場合のＶ１の補正値及びＶ２の補正値として、１．０を格納する。このように、同一の加速度Ａｚに対応するＶ１に対する補正値とＶ２に対する補正値とは、同じであってよい。
【００６９】
補正テーブル６２０に示されるように、格納部３６０は、Ａｙに対応づけて、Ｖ１に対する補正値及びＶ２に対する補正値を格納する。例えば、格納部３６０は、Ａｙが−Ａ２未満である場合のＶ１の補正値及びＶ２の補正値として、１．３を格納する。また、格納部３６０は、Ａｙが−Ａ２以上であり−Ａ１未満である場合のＶ１の補正値及びＶ２の補正値として、１．１を格納する。また、格納部３６０は、Ａｙが−Ａ１以上でありＡ１以下である場合のＶ１の補正値及びＶ２の補正値として、１．０を格納する。また、格納部３６０は、ＡｙがＡ１より大きくＡ２以下である場合のＶ１の補正値及びＶ２の補正値として、１．１を格納する。格納部３６０は、ＡｙがＡ２を超える場合のＶ１の補正値及びＶ２の補正値として、１．３を格納する。このように、同一の加速度Ａｙに対応するＶ１に対する補正値とＶ２に対する補正値とは、同じであってよい。
【００７０】
補正テーブル６３０に示されるように、格納部３６０は、Ａｘに対応づけて、Ｖ１に対する補正値及びＶ２に対する補正値を格納する。例えば、格納部３６０は、Ａｘが−Ａ２未満である場合のＶ１の補正値として、１．０を格納する。格納部３６０は、Ａｘが−Ａ２未満である場合のＶ２の補正値として、１．１を格納する。また、格納部３６０は、Ａｘが−Ａ２以上であり−Ａ１未満である場合のＶ１の補正値として、１．０を格納する。格納部３６０は、Ａｘが−Ａ２以上であり−Ａ１未満である場合のＶ２の補正値として、１．０５を格納する。このように、同一の加速度Ａｘに対応するＶ１に対する補正値と、Ｖ２に対する補正値とを異ならせてよい。また、格納部３６０は、Ａｘが−Ａ１以上でありＡ１以下である場合のＶ１の補正値及びＶ２の補正値として、１．０を格納する。また、格納部３６０は、ＡｘがＡ１より大きくＡ２以下である場合のＶ１の補正値として、１．０５を格納する。格納部３６０は、ＡｘがＡ１より大きくＡ２以下である場合のＶ２の補正値として、１．０を格納する。また、格納部３６０は、ＡｘがＡ２を超える場合のＶ１の補正値として、１．１を格納する。格納部３６０は、ＡｘがＡ２を超える場合のＶ２の補正値として、１．０を格納する。このように、同一の加速度Ａｘに対応するＶ１に対する補正値と、Ｖ２に対する補正値とを異ならせてよい。
【００７１】
眼電位補正部３３０は、各加速度に対応する補正値を眼電位に乗じた値を、補正値として算出する。例えば、Ａｘ、Ａｙ及びＡｚがそれぞれＡ２以上である場合、眼電位補正部３３０は、Ｖ１及び各加速度に対応する補正値である１．０、１．３及び１．１を乗算して、Ｖ１に対する補正値として１．４３を決定する。そして、眼電位補正部３３０は、決定した補正値１．４３をＶ１に乗算することにより、Ｖ１を補正する。また、Ｖ２については、Ａｘ、Ａｙ及びＡｚがそれぞれＡ２以上である場合、眼電位補正部３３０は、Ｖ２及び各加速度に対応する補正値である１．０、１．３及び１．０を乗算して、Ｖ２に対する補正値として１．３を決定する。そして、眼電位補正部３３０は、決定した１．３をＶ２に乗算することにより、Ｖ２を補正する。
【００７２】
なお、格納部３６０は、加速度に対応づけた補正値を、ユーザ２０の運動形態毎に格納してよい。例えば、格納部３６０は、本図で例示した補正テーブル６１０、補正テーブル６２０及び補正テーブル６３０と同様の補正テーブルとして、ランニング、ウォーキング、ゴルフスイング、バットスイング、サイクリング等のそれぞれの運動形態毎に格納してよい。そして、眼電位補正部３３０は、ユーザ２０の現在の運動形態に対応して格納されている補正テーブルを用いて、眼電位を補正してよい。なお、ユーザ２０の現在の運動形態は、ユーザ２０がスマートフォン４０に対して指定することで特定されてよい。例えば、ユーザ２０がスマートフォン４０でランニング解析用ソフトウエアを起動した場合に、ユーザ２０の運動形態がランニングの運動形態であると判断してよい。また、ユーザ２０の運動形態は、メガネ１００で検出された加速度及び角速度の少なくとも一方に基づいて、スマートフォン４０が特定してよい。
【００７３】
図６は、眼電位及び加速度の時間発展の一例を概略的に示す。ここでは、Ｖ１、Ｖ２と、ｚ方向の加速度Ａｚ、ｘ方向の加速度Ａｘ及びｙ方向の加速度Ａｙの時間発展の一例を概略的に示す。
【００７４】
グラフ６０１は、Ｖ１の時間発展を示す。グラフ６０２は、Ｖ２の時間発展を示す。グラフ６１１は、Ａｚの時間発展を示す。グラフ６１２は、Ａｘの時間発展を示す。グラフ６１３は、Ａｙの時間発展を示す。グラフ６０１、グラフ６０２、グラフ６１１、グラフ６１２及びグラフ６１３の横軸は、時間を表す。グラフ６０１の縦軸はＶ１を表す。グラフ６０２の縦軸はＶ２を表す。グラフ６１１の縦軸はＡｚを表す。グラフ６１２の縦軸はＡｘを表す。グラフ６１３の縦軸は、Ａｙを表す。
【００７５】
図示されるように、時刻ｔ１から時刻ｔ２までの期間で、Ｖ１及びＶ２に実質的な変化が生じている。時刻ｔ１から時刻ｔ２までの期間においては、Ａｚ、Ａｙ及びＡｘのいずれも、−Ａ１以上Ａ１以下である。そのため、眼電位補正部３３０は、Ｖ１に対する補正値として１．０を決定する。補正値が１．０の場合、眼電位補正部３３０は、Ｖ１に対する補正を行わなくてよい。解析部３５０は、時刻ｔ１から時刻ｔ２までの期間におけるＶ１の変化方向及びＶ２の変化方向に基づいて、この期間内でユーザ２０の視線方向が左方に変化したと判断する。また、解析部３５０は、この期間内のＶ１の変化量及びＶ２の変化量に基づいて、この期間内でユーザ２０の視線方向が左方に変化した角度を特定する。
【００７６】
また、時刻ｔ３から時刻ｔ４までの期間で、Ｖ１及びＶ２に実質的な変化が生じている。時刻ｔ３から時刻ｔ４までの期間においては、Ａｚ及びＡｙがそれぞれＡ２より大きく、Ａｘが−Ａ１以上Ａ１以下である。そのため、眼電位補正部３３０は、Ｖ１に対する補正値として１．３を決定する。また、眼電位補正部３３０は、Ｖ２に対する補正値として１．３を決定する。
【００７７】
そして、眼電位補正部３３０は、時刻ｔ３から時刻ｔ４までの期間に検出されたＶ１に補正値１．３を乗ずることにより、Ｖ１を補正する。また、眼電位補正部３３０は、時刻ｔ３から時刻ｔ４までの期間に検出されたＶ２に補正値１．３を乗ずることにより、Ｖ２を補正する。補正値による補正後のＶ１がＶ１'で示され、補正値による補正後のＶ２がＶ２'で示されている。
【００７８】
解析部３５０は、時刻ｔ３から時刻ｔ４までの期間におけるＶ１'の変化方向及びＶ２'の変化方向に基づいて、この期間内でユーザ２０の視線方向が右方に変化したと判断する。また、解析部３５０は、この期間内におけるＶ１'の変化量及びＶ２'の変化量に基づいて、この期間内でユーザ２０の視線方向が右方に変化した角度を特定する。解析部３５０は、時刻ｔ１から時刻ｔ２までの期間のＶ１及びＶ２に基づいて特定した視線方向から、時刻ｔ３から時刻ｔ４までの期間におけるＶ１'の変化量及びＶ２'の変化量に応じた角度だけ、ユーザ２０の視線方向が右方に変化したと判断する。
【００７９】
なお、図５及び図６に関連して、加速度に対応するＶ１の補正値及びＶ２の補正値に基づいて、Ｖ１及びＶ２を補正する場合について説明した。角速度についても同様に、角速度に対応するＶ１の補正値及びＶ２の補正値に基づいて、Ｖ１及びＶ２を補正できる。具体的には、格納部３６０は、角速度に対応づけてＶ１の補正値及びＶ２の補正値を格納しており、眼電位補正部３３０は、検出された角速度に対応づけて格納部３６０に格納されているＶ１の補正値及びＶ２の補正値を用いて、Ｖ１及びＶ２を補正する。なお、格納部３６０は、加速度及び角速度の組合せに対応づけてＶ１の補正値及びＶ２の補正値を格納しており、眼電位補正部３３０は、検出された加速度及び角速度の組合せに対応づけて格納部３６０に格納されているＶ１の補正値及びＶ２の補正値を用いて、Ｖ１及びＶ２を補正してよい。
【００８０】
図７は、スマートフォン４０において実行される処理を表すフローチャートを示す。本フローチャートで示される処理は、スマートフォン４０で眼電位に関する情報処理を実行することが指示された場合に、開始される。例えば、スマートフォン４０において、メガネ１００で検出された眼電位を解析するソフトウエアが起動された場合に、本フローチャートで示される処理が開始する。例えば、本フローチャートは、ランニング解析用ソフトウエアが起動された場合に、開始される。
【００８１】
ステップＳ７００において、送受信部３８０は、メガネ１００から連続的に送信される眼電位の時系列データ、加速度の時系列データ及び角速度の時系列データの受信を開始する。
【００８２】
続いて、ステップＳ７０２において、視線方向を検出するための較正処理を行う。例えば、ステップＳ７２０において、ＵＩ部３７０は、正面を見るようユーザ２０に指示する。ＵＩ部３７０は、例えば、正面を見ることを指示する画面を表示する。続いて、解析部３５０は、ユーザ２０に正面を見るよう指示した後の時刻で検出されたＶ１の大きさ及びＶ２大きさがそれぞれ予め定められた閾値以下になった時刻において、ユーザ２０の視線方向が正面を向いていると判断する。これにより、解析部３５０は、ユーザ２０の現在の視線方向の初期値を設定する。
【００８３】
続いて、ステップＳ７０４において、ＵＩ部３７０は、較正が終了した旨をユーザ２０に通知する。例えば、ＵＩ部３７０は、較正が完了して、眼電位の解析を開始することを示す画面を表示する。
【００８４】
続いて、ステップＳ７１２において、眼電位補正部３３０は、解析対象の時間における加速度及び角速度に基づいて補正値を決定して、Ｖ１'及びＶ２'を算出する。続いて、ステップＳ７２０において、解析対象の時間でＶ１'又はＶ２'が変化したか否かを判断する。ステップＳ７２０でＶ１'又はＶ２'が変化したと判断した場合は、ステップＳ７２２に処理を移行する。ステップＳ７２０でＶ１'及びＶ２'のいずれも変化していないと判断した場合は、ステップＳ７２４に処理を移行する。
【００８５】
ステップＳ７２２において、Ｖ１'の変化量及びＶ２'の変化量に基づいて、ユーザ２０の眼に関する状態を判断する。具体的には、解析部３５０は、現在設定されている視線方向と、Ｖ１'の変化量及びＶ２'の変化量に基づいて、新たな視線方向を特定する。これにより、ユーザ２０の現在の視線方向が更新される。また、ステップＳ７２２において、解析部３５０は、Ｖ１'の変化量又はＶ２'の変化量に基づいて、瞬目の有無を判断する。
【００８６】
続いて、ステップＳ７２４において、解析部３５０は、特定した現在のユーザ２０の視線方向及び瞬目の判断結果等に基づいてユーザ２０の状態を解析して、解析結果に応じた処理を行う。ステップＳ７２４において、解析部３５０は、視線方向の変化の履歴や瞬目の頻度等に基づいて、ユーザ２０に疲れが生じているか否かを判断して、ユーザ２０に疲れが生じていると判断した場合、ＵＩ部３７０を通じてユーザ２０に警告を発する。
【００８７】
続いて、ステップＳ７３０において、処理部３００は、眼電位に関する情報処理を終了するか否かを判断する。例えば、スマートフォン４０において、眼電位を解析するソフトウエアを終了する指示があった場合に、眼電位に関する情報処理を終了すると判断する。ステップＳ７３０で眼電位に関する情報処理を終了すると判断した場合は、終了処理を行って（ステップＳ７３２）、本フローチャートの処理を終了する。ステップＳ７３０で眼電位に関する情報処理を終了しないと判断した場合は、解析対象の時間を進めて（ステップ７３４）、ステップＳ７１０に処理を移行する。
【００８８】
なお、Ｖ１及びＶ２の補正に用いる補正値は、メガネ１００で過去に検出された加速度及び角速度の少なくとも一方とＶ１及びＶ２とに基づいて、統計的に算出された補正値であってよい。例えば、格納部３６０は、過去にメガネ１００で検出された加速度と眼電位の変化量とを対応づけた履歴情報を格納する。眼電位補正部３３０は、格納部３６０に格納されている履歴情報に基づいて、各加速度に対応する補正値を算出する。
【００８９】
例えば、眼電位補正部３３０は、履歴情報に基づいて、−Ａ１以上Ａ１以下の加速度Ａｚが検出されたときのＶ１の変化量の平均値を、Ｖ１の標準値として算出する。また、眼電位補正部３３０は、履歴情報に基づいて、−Ａ２より小さいＡｚが検出されたときのＶ１の変化量の平均値を算出する。眼電位補正部３３０は、上述したＶ１の標準値を、−Ａ２より小さいＡｚが検出されたときのＶ１の変化量の平均値で除した値を、Ａｚが−Ａ２より小さい場合のＶ１に対する補正値として算出して、Ａｚが−Ａ２より小さい場合に検出されたＶ１の補正に用いる。他の加速度の範囲についても、同様の処理によって、各加速度の範囲におけるＶ１に対する補正値が算出される。Ａｙ及びＡｘについてもＡｚと同様の処理により補正値が算出される。また、Ｖ２についても、Ｖ１と同様の処理により、各加速度の範囲におけるＶ２に対する補正値が算出される。
【００９０】
なお、図５、図６及び図７に係る説明では、眼電位の補正処理を分かり易く説明することを目的として、眼電位補正部３３０が、補正係数等の補正値を用いて眼電位を補正する場合を説明した。しかし、眼電位補正部３３０は、補正係数以外の様々な補正値を用いて、眼電位を補正してよい。補正値とは、補正係数、補正関数等の様々な補正パラメータを含む概念である。例えば、補正値とは、眼電位の大きさ及び眼電位の波形形状を補正する補正関数であってよい。眼電位の波形形状は、眼電位の波形の時間方向の広がりを用いて表されてよい。また、補正値とは、眼電位の周波数分解することにより得られた周波数成分を補正する、周波数成分に対する補正値であってよい。
【００９１】
以上に説明した眼電位情報処理システム１０においては、Ｖ１及びＶ２を演算する処理は、処理部２００が行う。これに代えて、スマートフォン４０の解析部３５０が、Ｖ１及びＶ２を演算する処理を行ってよい。この場合、処理部２００は、第１眼電位、第２眼電位及び第３眼電位のそれぞれの時系列データを生成し、送受信部２８０が第１眼電位、第２眼電位及び第３眼電位のそれぞれの時系列データをスマートフォン４０に送信してよい。
【００９２】
また、以上に説明した眼電位情報処理システム１０では、解析部３５０は、Ｖ１及びＶ２を用いて、ユーザ２０の視線方向等のユーザ２０の状態を特定する。他にも、解析部３５０は、Ｖ１及びＶ２の任意の線形結合を用いて、ユーザ２０の状態を特定してよい。例えば、解析部３５０は、Ｖ１＋Ｖ２と、Ｖ１−Ｖ２とを用いて、ユーザ２０の状態を特定してよい。また、解析部３５０は、Ｖ１の時間微分と、Ｖ２の時間微分とを用いて、ユーザ２０の状態を特定してもよい。また、解析部３５０は、視線方向を特定するための眼電位として、以上に説明したＶ１及びＶ２に代えて、接地電極１５４等の電位等の予め定められた基準電位を基準とした第１眼電位と、接地電極１５４の電位を基準とした第２眼電位とを適用してよい。
【００９３】
なお、処理部２００が、メガネ１００で検出されたユーザ２０の眼電位を取得する眼電位取得部としての機能と、加速度を取得する加速度取得部としての機能と、角速度を取得する角速度取得部としての機能と、眼電位補正部３３０の機能とを有してよい。また、処理部２００が、解析部３５０の機能を更に有してよい。
【００９４】
なお、加速度を検出する機能は、スマートフォン４０が有してよい。角速度を検出する機能は、スマートフォン４０が有してよい。
【００９５】
上記の説明において、スマートフォン４０において処理部３００、送受信部３８０の動作として説明した処理は、処理部３００、送受信部３８０等のプロセッサがプログラムに従ってスマートフォン４０が有する各ハードウェアを制御することにより実現される。このように、本実施形態のスマートフォン４０に関連して説明した、スマートフォン４０の少なくとも一部の処理は、プロセッサがプログラムに従って動作して各ハードウェアを制御することにより、プロセッサ、メモリ等を含む各ハードウェアとプログラムとが協働して動作することにより実現することができる。すなわち、当該処理を、いわゆるコンピュータによって実現することができる。コンピュータは、上述した処理の実行を制御するプログラムをロードして、読み込んだプログラムに従って動作して、当該処理を実行してよい。コンピュータは、当該プログラムを記憶しているコンピュータ読取可能な記録媒体から当該プログラムをロードすることができる。同様に、メガネ１００において処理部２００の動作として説明した処理は、いわゆるコンピュータによって実現することができる。
【００９６】
なお、スマートフォン４０は、メガネ１００で検出された眼電位の情報を処理する眼電位情報処理装置の一例である。眼電位情報処理装置としては、通信機能を有する情報処理装置であってよい。眼電位情報処理装置は、ユーザ２０が所持する携帯電話機、携帯情報端末、携帯音楽プレーヤ等の携帯型の電子機器であってよい。
【００９７】
なお、アイウエアの一例としてのメガネ１００は、ユーザ２０の目の屈折異常を補正したり、ユーザ２０の目を保護したり、着飾ったりすること等を目的として利用され得る。しかし、アイウエアはメガネに限定されない。アイウエアは、サングラス、ゴーグル、ヘッドマウントディスプレイなどの顔面装着具または頭部装着具であってよい。アイウエアは、顔面装着具または頭部装着具のフレームまたは当該フレームの一部であってもよい。アイウエアは、ユーザに装着され得る装着具の一例である。装着具は、アイウエア等の眼に関連する装着具に限られない。装着具としては、帽子、ヘルメット、ヘッドフォン、補聴器等の様々な部材を適用できる。
【００９８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１００】
１０  眼電位情報処理システム
１００  メガネ
２０  ユーザ
４０  スマートフォン
１１０  レンズ
１２０  フレーム
１２２  リム
１２４  ブリッジ
１２６  ヨロイ
１３０  テンプル
１３２  モダン
１４１  右ノーズパッド
１４２  左ノーズパッド
１５１  第１電極
１５２  第２電極
１５３  第３電極
１５４  接地電極
１６０  電線部
１８０  処理ユニット
１９０  電源ユニット
２００  処理部
２６０  角速度検出部
２７０  加速度検出部
２８０  送受信部
２９０  基板部
３００  処理部
３１０  眼電位取得部
３２０  加速度取得部
３２２  角速度取得部
３３０  眼電位補正部
３５０  解析部
３６０  格納部
３７０  ＵＩ部
３８０  送受信部
３９０  電源部
４０１、４０２  眼球
４１１、４１２  角膜
４５１  第１接触位置
４５２  第２接触位置
４５３  第３接触位置
６０１、６０２、６１１、６１２、６１３  グラフ
６１０、６２０、６３０  補正テーブル
【図１】
2015202199.tif 000003
【図２】
2015202199.tif 000004
【図３】
2015202199.tif 000005
【図４】
2015202199.tif 000006
【図５】
2015202199.tif 000007
【図６】
2015202199.tif 000008
【図７】
2015202199.tif 000009